(57)【特許請求の範囲】
【請求項１】
回路基板に複数の機種にわたり必ず使用する部品を実装する共通領域と、機種仕様を満足するために必要な複数の部品を実装するための領域が機種仕様ごとに分けて設けられた複数の領域であって前記機種仕様を満足させるために必要な領域には部品が実装されて使用され前記機種仕様を満足させるために不要な領域には部品が実装されることなく使用される複数の特定領域と、基板を管理するために当該回路基板の基板名と前記複数の特定領域の内の使用している特定領域とがわかるように記載した管理番号とを設けたことを特徴とする遊技制御基板。  
【発明の詳細な説明】
【０００１】
【発明の属する技術分野】
本発明はパチンコ機やスロットマシンなどのような遊技機に用いられる遊技制御基板に関する。
【０００２】
【従来の技術】
図５はパチンコ機やスロットマシンなどの遊技機に用いられている遊技制御基板を示し、遊技制御基板は主制御基板１０１、図柄制御基板１０２、音制御基板１０３、発射制御基板１０４、払出制御基板１０５などのような別々の回路基板で構成されている。
【０００３】
【発明が解決しようとする課題】
しかしながら、前記従来例は各々の遊技制御基板は機種ごとに実装される電気部品が異なることから、回路基板の大きさや配線パターンが機種ごとに異なっている。そのため、遊技機の販売予定数を計画して遊技制御基板を製造し、製造した数の遊技機が実際に販売できなかった場合、販売された数量と製造数量との差の数の遊技制御基板が別の機種に転用することができずに破棄しなければならず、遊技制御基板をコストダウンするにも限度があった。
【０００４】
そこで、本発明は複数の機種にわたって使用することによって、コストダウン化ができる遊技制御基板を提供するものである。
【０００５】
【課題を解決するための手段】
本発明にあっては、回路基板に複数の機種にわたり必ず使用する部品を実装する共通領域と、機種仕様を満足するために必要な複数の部品を実装するための領域が機種仕様ごとに分けて設けられた複数の領域であって前記機種仕様を満足させるために必要な領域には部品が実装されて使用され前記機種仕様を満足させるために不要な領域には部品が実装されることなく使用される複数の特定領域と、基板を管理するために当該回路基板の基板名と前記複数の特定領域の内の使用している特定領域とがわかるように記載した管理番号とを設けたことによって、回路基板を複数の機種にわたり共通に使用することができる。  
【０００６】
【発明の実施の形態】
図１から図３は第１実施形態であって、図１は遊技制御基板を模式的に示し、図２は機種仕様を示し、図３は管理番号を示す。
【０００７】
図１を参照し、遊技制御基板について説明する。遊技制御基板は回路基板１を備える。回路基板１は遊技機の複数の機種にわたり共通使用することが可能な大きさであって、回路基板１の盤面が共通領域２と特定領域３；４；５とに区分される。共通領域２は複数の機種で常に使用する領域であり、特定領域３〜５は機種で使用したり使用しなかったりする領域である。回路基板１の盤面には配線パターン６が特定領域３〜５と共通領域２とにわたる回路となるように形成される。
【０００８】
共通領域２には複数の機種に必ず使用されるマイクロコンピューターや入出力インターフェースを構成する半導体装置のような部品７が実装される。特定領域３〜５は機種に応じて使い分けられることから、その機種で使用する特定領域３〜５には部品８；９；１０が実装され、その機種で使用しない特定領域３〜５は部品８〜１０を未実装のままとする。また、共通領域２の盤面には回路基板１の管理番号１１が印刷で形成された印刷管理番号１２および配線パターン６と同じ材料からなるパターンで形成されたパターン管理番号１３を上下に併設した形態である。
【０００９】
図２を参照し、複数の機種仕様について説明する。機種仕様Ｎｏ．１は演出用ソレノイド駆動回路としての特定領域３を使用し、演出用モータ駆動回路としての特定領域４や演出用モータ原点スイッチ入力回路としての特定領域５を使用しない仕様である。機種仕様Ｎｏ．２は演出用ソレノイド駆動回路としての特定領域３や演出用モータ原点スイッチ入力回路としての特定領域５を使用せず、演出用モータ駆動回路としての特定領域４を使用する仕様である。機種仕様Ｎｏ．３は演出用ソレノイド駆動回路としての特定領域３を使用せず、演出用モータ駆動回路としての特定領域４や演出用モータ原点スイッチ入力回路としての特定領域５を使用する仕様である。機種仕様Ｎｏ．４は演出用ソレノイド駆動回路としての特定領域３や演出用モータ駆動回路としての特定領域４を使用し、演出用モータ原点スイッチ入力回路としての特定領域５を使用しない仕様である。機種仕様Ｎｏ．５は演出用ソレノイド駆動回路としての特定領域３と演出用モータ駆動回路としての特定領域４および演出用モータ原点スイッチ入力回路としての特定領域５を使用する仕様である。図２において、○印は機能搭載を示し、×印は機能未搭載を示す。
【００１０】
よって、機種仕様Ｎｏ．１の場合における遊技制御基板では図１の特定領域３には部品８が実装され、特定領域４；５には部品９；１０が実装されない。機種仕様Ｎｏ．２の場合における遊技制御基板では図１の特定領域４に部品９が実装され、特定領域３；５には部品８；１０が実装されない。機種仕様Ｎｏ．３の場合における遊技制御基板では図１の特定領域４；５に部品９；１０が実装され、特定領域３には部品８が実装されない。機種仕様Ｎｏ．４の場合における遊技制御基板では図１の特定領域３；４には部品８；９が実装され、特定領域５には部品１０が実装されない。機種仕様Ｎｏ．５の場合における遊技制御基板では図１の特定領域３〜５に部品８〜１０が実装される。
【００１１】
図３を参照し、管理番号１１について図２の機種仕様Ｎｏ．１からＮｏ．５である場合を例として説明する。管理番号１１は回路基板名を示す基板名部分１４、特定領域３を示す特定領域名部分１５、特定領域４を示す特定領域名部分１６、特定領域５を示す特定領域名部分１７、回路基板１の改訂回数を示すバージョン部分１８を備える。よって、機種仕様Ｎｏ．１の場合における遊技制御基板では特定領域名部分１６；１７を消し、機種仕様Ｎｏ．２の場合における遊技制御基板では特定領域名部分１５；１７を消し、機種仕様Ｎｏ．３の場合における遊技制御基板では特定領域名部分１５を消し、機種仕様Ｎｏ．４の場合における遊技制御基板では特定領域名部分１７を消し、機種仕様Ｎｏ．５の場合における遊技制御基板では特定領域名部分１５〜１７を消さない。バージョン部分１８は設けなくてもよい。
【００１２】
前記管理番号１１を消すということは人が消す特定領域名部分１５〜１７を表現した記号や文字を認識できなくなるようにすることであって、例えば色、溶融、熱などで消したい特定領域名部分１５〜１７を表現した記号や文字を消す。色で消す場合、消したい特定領域名部分１５〜１７を表現した記号や文字に塗料を塗ったり貼着シールを貼付したりして、当該記号や文字を色で被覆する。溶融で消す場合、消したい特定領域名部分１５〜１７を表現した記号や文字を溶剤で溶かす。熱で消す場合、消したい特定領域名部分１５〜１７を表現した記号や文字をレーザで溶かす。
【００１３】
第１実施形態では回路基板１の盤面に共通領域２と特定領域３〜５および管理番号１１を設け、共通領域２に複数の機種にわたり必ず使用する部品７を実装し、機種ごとに必要な特定領域３〜５に部品８〜１０を個別に実装して機種ごとに必要な特定領域３〜５を使い分け、管理番号１１における特定領域名部分１５〜１７を部品８〜１０の実装された特定領域３〜５に応じて個別に消す形態であるので、回路基板１を複数の機種にわたり共通に使用することができる。管理番号１１は印刷管理番号１２とパターン管理番号１３とを上下に併設した形態であるので、部品が実装されない特定領域名部分１５〜１７を個別に消す場合、印刷管理番号１２とパターン管理番号１３とが分散配置された場合に比べて消去作業が容易となる。
【００１４】
図４は第２実施形態に係る管理番号２０を示す。第１実施形態では管理番号１１が特定領域名部分１５〜１７を備えたのに対し、第２実施形態は管理番号２０が回路基板１の種類を示す種類名部分２１；２２；２３；２４を備える。そして、例えば、図２の機種仕様Ｎｏ．１の場合には種類名部分２１〜２４を全部そのまま表示しておき、機種仕様Ｎｏ．２の場合には種類名部分２４を消し、機種仕様Ｎｏ．３の場合には種類名部分２３；２４を消し、機種仕様Ｎｏ．４の場合には種類名部分２２〜２４を消し、機種仕様Ｎｏ．５の場合には種類名部分２１〜２４の全部を消す。
【図面の簡単な説明】
【図１】  第１実施形態の遊技制御基板を示す模式図。
【図２】  第１実施形態の機種仕様を示す図表。
【図３】  第１実施形態の管理番号を示す図表。
【図４】  第２実施形態の管理番号を示す図表。
【図５】  従来例を示す模式図。
【符号の説明】
１  回路基板
２  共通領域
３；４；５  特定領域
１１；２０  管理番号
１２  印刷管理番号
１３  パターン管理番号
【図１】
0004421171.tif 000002
【図２】
0004421171.tif 000003
【図３】
0004421171.tif 000004
【図４】
0004421171.tif 000005
【図５】
0004421171.tif 000006